(57)【要約】【課題】予め決められた時間が経過したときだけでなく、給水量が予め設定した量に達したときも給水を停止するようにして、水の無駄な使用を抑制できるようにした給水装置を提供する。【解決手段】給水装置（Ａ１）は、コインメック（３）、給水栓（５）からの給水の開始と停止を行う電磁弁（７）、支払われた料金に対して給水可能な時間を設定する時間設定部（４１）、同じく給水可能な水量を設定する水量設定部（４２）、時間測定手段（４３）、時間比較部（４４）、流量測定手段（６）、水量比較部（４５）、残量検知部（４６）、残存割合比較部（４７）、残量表示手段（２２）を備えている。残量表示手段（２２）は設定時間の残存割合と設定水量の残存割合のうち残存割合の少ない方を選択して表示する。給水装置（Ａ１）は給水量が設定水量に達するか、または給水経過時間が設定時間に達するか、いずれかが先に達した時点で給水を停止させる。【選択図】　　　　図３
2004118749.tif 000002
【特許請求の範囲】
【請求項１】
料金要素による支払いを検知することにより給水を開始するようにしてあり、給水量が予め設定されている設定水量に達するか、または給水経過時間が予め設定されている設定時間に達するか、いずれかが先に達した時点で給水を停止させるようにしたことを特徴とする、
給水装置。
【請求項２】
料金要素による支払いを検知することにより給水を開始するようにしてあり、給水途中において、給水停止までの残存水量と残存時間のうち、残存割合の少ない方を選択して、その残存割合を表示するようにしてあり、給水量が予め設定されている設定水量に達するか、または給水経過時間が予め設定されている設定時間に達するか、いずれかが先に達した時点で給水を停止させるようにしたことを特徴とする、
給水装置。
【請求項３】
料金要素による支払いを検知することにより給水が開始される給水装置であって、
料金要素による支払いを受ける手段（３）と、
料金要素による支払いを検知することにより給水手段（５）からの給水の開始と停止を行う手段（７，４８）と、
支払われた料金要素の金額に対して給水可能な時間を設定する手段（４１）と、
支払われた料金要素の金額に対して給水可能な水量を設定する手段（４２）と、
給水経過時間を測定する時間測定手段（４３）と、
設定時間と給水経過時間を比較する手段（４４）と、
給水手段（５）からの給水量を測定する流量測定手段（６）と、
設定水量と給水量を比較する手段（４５）と、
設定時間と設定水量の残量を検知する手段（４６）と、
を備えており、
給水量が設定水量に達するか、または給水経過時間が設定時間に達するか、いずれかが先に達した時点で給水を停止させるようにしてあることを特徴とする、
給水装置。
【請求項４】
設定時間の残存割合と、設定水量の残存割合を比較する手段（４７）と、
設定時間の残存割合または設定水量の残存割合を表示できる残量表示手段（２２）と、
を備えており、
残量表示手段（２２）は、設定時間の残存割合と設定水量の残存割合のうち、残存割合の少ない方を選択して表示するようにしてあることを特徴とする、
請求項３記載の給水装置。
【請求項５】
給水開始から停止までの給水量と給水時間とを予め設定しておき、料金要素による支払いを検知することにより給水を開始し、給水途中において給水停止までの残存水量と残存時間のうち残存割合の少ない方を選択してその残存割合を表示し、給水量が予め設定されている設定水量に達するか、または給水経過時間が予め設定されている設定時間に達するか、いずれかが先に達したときに給水を停止させるようにしたことを特徴とする、
給水方法。
【発明の詳細な説明】
【０００１】
【発明の属する技術分野】
本発明は給水装置に関するものである。更に詳しくは、例えば洗車する際に使用され、料金要素による支払いを検知することにより給水する洗車用給水機であって、予め設定されている時間に達したときだけでなく、予め設定されている水量に達したときにも給水を停止するものに関する。
【０００２】
【従来技術】
例えばマンション、アパート等、集合住宅の敷地の一角には洗車スペースが設けられているところが多い。洗車スペースには水道の蛇口が備えてあり、その利用者は、蛇口につないだホースを使用して自由に洗車等を行うことができるようになっている。
【０００３】
しかしながら、上記のように、水道水の使用量に制限がなく使い放題となっている課金されない給水設備の場合では、利用者に対して節水を期待することはできない。
このことは、水道料金が多額になってしまう原因となっており、水道料金が入居者から平等に徴収される管理費で支払われることを考えれば、給水設備を利用する人と利用しない人では不公平になる感は否めない。
【０００４】
そこで、上記のような不公平を是正するために、課金システムを備えた給水装置を備える集合住宅も増えてきた。このような給水装置は、利用者がコインを入れるとタイマーが設定されるようになっており、予め決められた一定の時間だけ利用することができるものである（例えば、特許文献１参照）。
【０００５】
【特許文献１】
特開２００２−１９５４３１号公報
【０００６】
【発明が解決しようとする課題】
しかしながら、上記公報に記載されたような一定の時間だけ利用することができる給水装置は、時間が経過するまでは特に制限なく給水可能であるので、利用者は放水が必要でないときにも、いちいち止めるのが面倒であるため水を出したままにする傾向が強い。このため、水が無駄に使用されやすかった。
【０００７】
（本発明の目的）
本発明の目的は、予め決められた時間が経過したときだけでなく、給水量が予め設定した量に達したときも給水を停止するようにして、給水可能な設定時間中の水の無駄な使用を抑制することができるようにした洗車等を行うための給水装置及び給水方法を提供することである。
【０００８】
【課題を解決するための手段】
上記課題を解決するために講じた本発明の手段は次のとおりである。
第１の発明にあっては、
料金要素による支払いを検知することにより給水を開始するようにしてあり、給水量が予め設定されている設定水量に達するか、または給水経過時間が予め設定されている設定時間に達するか、いずれかが先に達した時点で給水を停止させるようにしたことを特徴とする、
給水装置である。
【０００９】
第２の発明にあっては、
料金要素による支払いを検知することにより給水を開始するようにしてあり、給水途中において、給水停止までの残存水量と残存時間のうち、残存割合の少ない方を選択して、その残存割合を表示するようにしてあり、給水量が予め設定されている設定水量に達するか、または給水経過時間が予め設定されている設定時間に達するか、いずれかが先に達した時点で給水を停止させるようにしたことを特徴とする、
給水装置である。
【００１０】
第３の発明にあっては、
料金要素による支払いを検知することにより給水が開始される給水装置であって、
料金要素による支払いを受ける手段と、
料金要素による支払いを検知することにより給水手段からの給水の開始と停止を行う手段と、
支払われた料金要素の金額に対して給水可能な時間を設定する手段と、
支払われた料金要素の金額に対して給水可能な水量を設定する手段と、
給水経過時間を測定する時間測定手段と、
設定時間と給水経過時間を比較する手段と、
給水手段からの給水量を測定する流量測定手段と、
設定水量と給水量を比較する手段と、
設定時間と設定水量の残量を検知する手段と、
を備えており、
給水量が設定水量に達するか、または給水経過時間が設定時間に達するか、いずれかが先に達した時点で給水を停止させるようにしてあることを特徴とする、
給水装置である。
【００１１】
第４の発明にあっては、
設定時間の残存割合と、設定水量の残存割合を比較する手段と、
設定時間の残存割合または設定水量の残存割合を表示できる残量表示手段と、
を備えており、
残量表示手段は、設定時間の残存割合と設定水量の残存割合のうち、残存割合の少ない方を選択して表示するようにしてあることを特徴とする、
第３の発明に係る給水装置である。
【００１２】
第５の発明にあっては、
給水開始から停止までの給水量と給水時間とを予め設定しておき、料金要素による支払いを検知することにより給水を開始し、給水途中において給水停止までの残存水量と残存時間のうち残存割合の少ない方を選択してその残存割合を表示し、給水量が予め設定されている設定水量に達するか、または給水経過時間が予め設定されている設定時間に達するか、いずれかが先に達したときに給水を停止させるようにしたことを特徴とする、
給水方法である。
【００１３】
本明細書にいう「料金要素」とは、硬貨（コイン）の他、硬貨代用物（料金を支払うことで提供される硬貨様のメダル等）、紙幣あるいはクレジットカード等を含むものである。
【００１４】
本明細書にいう「割合」の用語は、百分比（率）等の比率の意味を含むものである。残量の表示形態としては、数字によるデジタル表示でもよいし、指針や表示ランプ等を使用したアナログ表示でもよい。
【００１５】
本明細書にいう「設定時間と給水経過時間を比較」または「設定水量と給水量を比較」の意味は、結果的に比較していることになっていればその経過は問わない。例えば、単にそれらの数値同士を比較してもよいし、設定時間または設定水量から給水量または経過時間分を減算していって「０：ゼロ」と比較するようにしてもよい。
【００１６】
（作用）
本発明に係る給水装置は次のように作用する。
利用者が料金要素によって料金を支払うと、その金額が例えば硬貨の枚数等により検知される。
給水量は支払われた料金（金額）に対応して予め設定されている水量に設定される。また、給水可能な時間も、支払われた料金に対応して予め設定されている時間に設定される。
利用開始と共に時間測定手段により給水経過時間が測定され、流量測定手段により給水量も測定される。それと並行して給水経過時間と設定時間が比較され、給水量と設定水量が比較される。
【００１７】
そして、給水量が設定水量に達するのが、給水経過時間が設定時間に達するより早ければ、給水量が設定水量に達した時点で給水が停止される。
また、逆に給水経過時間が設定時間に達するのが、給水量が設定水量に達するより早ければ、給水経過時間が設定時間に達した時点で給水が停止される。
これにより、給水経過時間が設定時間に達していなくても、給水量が設定水量に達すれば給水が停止されるので、設定時間中（給水可能な時間中）に必要でないのに放水したままにする等の水の無駄な使用を抑制することができる。
【００１８】
設定時間の残存割合と、設定水量の残存割合を比較する手段と、設定時間の残存割合または設定水量の残存割合を表示できる残量表示手段とを備えており、残量表示手段は、設定時間の残存割合と設定水量の残存割合のうち、残存割合の少ない方を選択して表示するようにしてあるものは、利用者は実際に給水が停止するまでの時間または水量を感覚的につかみやすく、効率的な水の使用を助けることができる。
【００１９】
【発明の実施の形態】
本発明を図面に示した実施の形態に基づき更に詳細に説明する。
図１は本発明に係る洗車用給水装置の一実施の形態を示す正面図、
図２は洗車用給水装置の一実施の形態を示す側面図、
図３は洗車用給水装置の一実施の形態を示すブロック図である。
【００２０】
洗車用給水装置Ａ１は、箱状のケーシング１を備えている。ケーシング１は、上部ケース１１と下部ケース１２を備えている。下部ケース１２は設置面１００（コンクリート面等）に設けたアンカーボルト１０１にナット１０２をねじ込んで底部を固定する構造である。
上部ケース１１と下部ケース１２は接合部においてボルト・ナット１０３で固定されており、分離も可能である。
【００２１】
上部ケース１１の正面側上部には、表示盤２が設けられている。表示盤２には、料金表示部２１、残量表示部２２、硬貨投入口２３、放水ボタン２４、停止ボタン２５、硬貨返却レバー２６が設けられている。
料金表示部２１には、投入された硬貨の合計金額が表示されるようになっている。この金額の表示は、給水開始後、使用に伴って減っていくようにしてある。
残量表示部２２は、給水停止までの残り時間と残り水量のうち、設定値に対するる割合に換算して、残存割合が少ない方を五個のランプにより２０％単位でアナログ表示する構造である。すなわち、四個点灯では残量８０％を表しているが、見た目には残り時間と残り水量のうちどちらの残量（残存割合）かはわからない。
【００２２】
表示盤２は、片開き扉構造の正面板１４に設けられている。表示盤２の内部側には、料金要素による支払いを受ける手段であるコインメック３と制御部４（図３参照）が設けられている。
コインメック３は、硬貨検知機能、硬貨払い戻し機能等を有するものである。なお、本実施の形態で採用されているものは、１００円硬貨を投入して料金を支払うタイプである。
符号１３はロック装置で、正面板１４をロック（施錠）するためのものである。硬貨投入口２３と硬貨返却レバー２６はコインメック３を構成するものである。また、上部ケース１１内には、コインメック３を構成する金庫（図示省略）が収容されている。
【００２３】
上部ケース１１の側部には、給水管８の一端側に設けられた給水口８０が横方向へ突出して設けてある。給水口８０には、放水用のホース８１が接続されて使用される。また、給水管８の他端側には、給水手段である給水栓５に接続されるホース５０を接続する導水口８２が設けてある。
【００２４】
給水管８の上流側には流量計６が設けてあり、下流側には電磁弁７が設けてある。電磁弁７の開閉は、バルブ制御部４８により制御される。
一方、制御部４は、コインメック３を介し支払われた金額に対し、予め設定されている時間を設定する時間設定部４１と、同じく給水量を設定する水量設定部４２と、タイマ４３で計測されている給水経過時間と設定時間とを比較する時間比較部４４と、水量計６で計測されている給水量と設定水量とを比較する水量比較部４５と、時間比較部４４と水量比較部４５による比較結果を基に時間と水量の残量を検知する残量検知部４６と、時間と水量の残存割合を比較する残存割合比較部４７と、残量検知部４６の残量の検知結果を基に電磁弁７の開閉制御をするバルブ制御部４８を備えている。
【００２５】
残量比較部４６には放水ボタン２４と停止ボタン２５で構成される操作部から各信号が送られる。また、残存割合比較部４７からは残存割合が少ない方の割合を表す信号が残量表示部２２へ送られ、残量が表示される。
【００２６】
（作　用）
図４は洗車用給水装置の制御部のフローチャートである。
図１ないし図４を参照して、本実施の形態に係る洗車用給水装置Ａ１の作用を説明する。
洗車用給水装置Ａ１は、図１に示すように給水栓５が設けてある場所に給水栓５を下部ケース１２で覆うようにして設置面Ｇに固定される。そして、給水栓５の蛇口と導水口８２がホース５０で接続され、制御表示用の電源も接続される。
【００２７】
（１）洗車用給水装置Ａ１の電源を投入する。（図４のフローチャートのｆ０）
（２）利用者が硬貨投入口２３から１００円硬貨を投入する。コインメック３によって硬貨の投入が検知される。（ｆ１）
（３）支払われた料金（金額）が料金表示部２１に表示される。
【００２８】
（４）給水可能な時間が、時間設定部４１によって、支払われた料金に対応して予め設定されている時間（初期値）に設定される。（ｆ２）
（５）給水可能な水量が、水量設定部４２によって、支払われた料金に対応して予め設定されている水量（初期値）に設定される。（ｆ３）
【００２９】
（６）利用開始と共にタイマ４３により経過時間が測定され、設定時間から給水経過時間の減算が始まる。（ｆ４）
（７）時間比較部４４によって給水経過時間と設定時間が比較される。（残り時間が０か否かで結果的に比較されている）
【００３０】
（８）給水経過時間が設定時間に達した場合はバルブ制御部４８により電磁弁７が閉じられて給水が停止される。（ｆ６）
（９）給水経過時間が設定時間に達していない（設定時間に残りがある）場合は、放水がＯＮ（放水ボタン２４が押されている状態）かどうかが検知される。（ｆ７）
【００３１】
（１０）放水がＯＮでなければ（停止ボタン２５が押されている状態）、バルブ制御部４８により電磁弁７が閉じられて給水が停止される、（ｆ１１）ｆ５で処理される。
（１１）放水がＯＮであれば、バルブ制御部４８により電磁弁７を開けて水を出す。（ｆ８）
（１２）設定水量から給水量（使用水量）の減算が始まる。（ｆ９）
【００３２】
（１３）水量比較部４５によって給水量と設定水量が比較され（残り水量が０か否かで結果的に比較されている）、給水量が設定水量に達した場合はｆ６で処理され、電磁弁７が閉じられて給水が停止される。（ｆ１０）
（１４）給水量が設定水量に達していない（設定水量に残りがある）場合は、ｆ５で処理される。
【００３３】
このように、給水量が設定水量に達するのが、給水経過時間が設定時間に達するより早ければ、給水量が設定水量に達した時点（ｆ１０）で給水が停止される（ｆ６）。
また、逆に給水経過時間が設定時間に達するのが、給水量が設定水量に達するより早ければ、給水経過時間が設定時間に達した時点（ｆ５）で給水が停止される（ｆ６）。
これにより、給水経過時間が設定時間に達していなくても、給水量が設定水量に達すれば給水が停止されるので、給水可能な時間中に必要でないのに放水したままにする等の水の無駄な使用を抑制することができる。
【００３４】
図５は本発明に係る給水装置の他の実施の形態を示す正面図である。
本実施の形態に係る洗車用給水装置Ａ２は、壁に固定される構造である。
なお、上記洗車用給水装置Ａ１の上部ケース１１の背面板に壁に固定するための要素（ボルト孔等）を設けておいて洗車用給水装置Ａ１を壁掛け用として使用できるようにしてもよい。
なお、図５において、上記洗車用給水装置Ａ１と同一または同等箇所には同一の符号を付して示し、構造について重複する説明は省略する。
【００３５】
ケーシング１ａには、上記洗車用給水装置Ａ１の上部ケース１１と同様に各種機器が設けてある。
符号９は給水栓５から導水口８２（図５では見えない）へ送水するホース５０を覆う筒状のカバーである。ホース５０にはストレーナ５１が設けてある。
洗車用給水装置Ａ２は、設置したときの占有部が小さくなる以外は、上記洗車用給水装置Ａ１とほぼ同様に作用するので、作用についての説明は省略する。
【００３６】
本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【００３７】
【発明の効果】
本発明は上記構成を備え、次の効果を有する。
（ａ）本発明に係る給水装置は、給水量が設定水量に達するのが、給水経過時間が設定時間に達するより早ければ、給水量が設定水量に達した時点で給水が停止され、逆に給水経過時間が設定時間に達するのが、給水量が設定水量に達するより早ければ、給水経過時間が設定時間に達した時点で給水が停止される。
これにより、給水経過時間が設定時間に達していなくても、給水量が設定水量に達すれば給水が停止されるので、設定時間中（給水可能な時間中）に必要でないのに放水したままにする等の水の無駄な使用を抑制することができる。
【００３８】
（ｂ）設定時間の残存割合と、設定水量の残存割合を比較する手段と、設定時間の残存割合または設定水量の残存割合を表示できる残量表示手段とを備えており、残量表示手段は、設定時間の残存割合と設定水量の残存割合のうち、残存割合の少ない方を選択して表示するようにしてあるものは、利用者は実際に給水が停止するまでの時間または水量を感覚的につかみやすく、効率的な水の使用を助けることができる。
【図面の簡単な説明】
【図１】本発明に係る給水装置の一実施の形態を示す正面図。
【図２】給水装置の一実施の形態を示す側面図。
【図３】給水装置の一実施の形態を示すブロック図。
【図４】給水装置の制御部のフローチャート。
【図５】本発明に係る給水装置の他の実施の形態を示す正面図。
【符号の説明】
Ａ１　洗車用給水装置
１　ケーシング
１１　上部ケース
１２　下部ケース
１３　ロック装置
１４　正面板
Ｇ　設置面
１０１　アンカーボルト
１０２　ナット
１０３　ボルト・ナット
２　表示盤
２１　料金表示部
２２　残量表示部
２３　硬貨投入口
２４　放水ボタン
２５　停止ボタン
２６　硬貨返却レバー
３　コインメック
４　制御部
４１　時間設定部
４２　水量設定部
４３　タイマ
４４　時間比較部
４５　水量比較部
４６　残量検知部
４７　残存割合比較部
４８　バルブ制御部
５　給水栓
５０　ホース
６　流量計
７　電磁弁
８　給水管
８０　給水口
８１　ホース
８２　導水口
Ａ２　洗車用給水装置
１ａ　ケーシング
９　カバー
５１　ストレーナ
【図１】
2004118749.tif 000003
【図２】
2004118749.tif 000004
【図３】
2004118749.tif 000005
【図４】
2004118749.tif 000006
【図５】
2004118749.tif 000007